(57)【要約】【課題】接続されている分電盤が異なる電力線ダクトに接続された端末装置間及び別の電路ブレーカから配線されている電力線ダクトに接続された端末装置間で電力線搬送通信を行うことができる電力線搬送通信システムを提供する。【解決手段】結合器１６は、端子Ｔ１〜Ｔ４を備えると共に、端子Ｔ１と端子Ｔ３との間に例えばコンデンサ等の回路素子Ｃ１を、端子Ｔ２と端子Ｔ４との間に例えばコンデンサ等の回路素子Ｃ２を有する。回路素子Ｃ１，Ｃ２は、電力線搬送通信信号の周波数帯域の電力を通過させて商用周波数電力及び直流電力を遮断する。電力線ダクト１０，１１の終端に結合器１６が取り付けられると、第１、第２電力線搬送通信系統２，３における導体１０ａ，１１ａが互いに回路素子Ｃ１を介して接続されるとともに、第１電力線搬送通信系統２，３における導体１０ｂ，１１ｂが互いに回路素子Ｃ２を介して接続される。【選択図】図６
2008187277.tif 000002
【特許請求の範囲】
【請求項１】
電力線としての導体を備えた電力線ダクトと、
前記電力線ダクト及び端末装置を電気的に接続し、前記端末装置から送信された通信データを電力線搬送通信信号に変調して前記電力線ダクトの導体に出力すると共に、前記電力線ダクトの導体を伝播する電力線搬送通信信号を受信し、受信した電力線搬送通信信号を復調して前記端末装置に送信するＰＬＣプラグと、
異なる第１、第２の電力線ダクト間で電力線搬送通信信号の周波数帯域の電力を通過させて商用周波数電力及び直流電力を遮断する回路素子を備え、前記第１、第２の電力線ダクト間に装着される接続部とを有し、
前記接続部は、前記第１、第２の電力線ダクトに備えられる導体同士を、前記第１の電力線ダクトに備えられる導体に接続された端末装置と、前記第２の電力線ダクトに備えられる導体に接続された端末装置との間で電力線搬送通信可能に接続する電力線搬送通信システム。
【請求項２】
前記接続部は、前記回路素子が前記第１の電力線ダクトにおける導体と第２の電力線ダクトにおける導体とに対して直列に接続される構成を備えた結合器を備えてなる請求項１に記載の電力線搬送通信システム。
【請求項３】
前記電力線ダクトは、複数の導体を備え、各導体と商用電源に電気的に接続された複数の活線とが１体１の関係で電気的に接続され、
前記結合器は、前記回路素子の一方の端子と接続する対象の導体を、前記活線と接続関係にある前記第１の電力線ダクトの導体の中で切り替える第１の切り替えスイッチと、前記回路素子の他方の端子と接続する対象の導体を、前記活線と接続関係にある前記第２の電力線ダクトの導体の中で切り替える第２の切り替えスイッチとを有する切り替え部を備える請求項２に記載の電力線搬送通信システム。
【請求項４】
前記接続部は、前記電力線ダクトに着脱可能に接続されるプラグを電力線ケーブルの各端部に有してなる電力線ダクト間接続プラグ部を備え、
前記電力線ダクト間接続プラグ部における各プラグは、前記回路素子を前記電力線ダクトと電力線ケーブルとの間に備えている請求項１に記載の電力線搬送通信システム。
【請求項５】
前記接続部は、前記電力線ダクトの終端部を絶縁するための終端器を備え、
前記終端器は、前記電力線ダクトの導体に対し、電力線搬送通信信号の反射を防止するための回路素子部と、前記端末装置から送信された通信データを電力線搬送通信信号に変調して前記電力線ダクトの導体に出力すると共に、前記電力線ダクトの導体を伝播する電力線搬送通信信号を受信し、受信した電力線搬送通信信号を復調して前記端末装置に送信するＰＬＣモデム部とが並列に接続された構成を有し、
前記ＰＬＣモデム部は、ＬＡＮに接続するためのＬＡＮ入出力部を備え、
各電力線ダクトに設置された各終端器が、前記ＬＡＮ入出力部に接続されたＬＡＮケーブルによりハブを介して接続される請求項１に記載の電力線搬送通信システム。
【発明の詳細な説明】
【技術分野】
【０００１】
本発明は、電力線に通信信号を重畳することにより電力線を用いて通信を行うシステムに関するものである。
【背景技術】
【０００２】
住戸やオフィスビルを始めとして、様々な場所に電力供給のために電力線が布設されている。近年、この電力線を伝送路に用いた電力線搬送通信（Power Line Communication；以下、ＰＬＣという）が確立されつつある。このＰＬＣは、既設の電力線を用いて機器同士の通信が実現されるため、専用の通信線を新たに導入及び施工することなく機器同士のネットワーク化が可能である。
【０００３】
一方、特許文献１には、電力線ダクトの電路ブレーカが収納された分電盤と、電力線ダクトと分電盤との間に設置された信号漏洩阻止フィルタと、電気器具を電力線ダクトに接続するためのプラグと、受信機を内蔵する集中監視盤と、送信機を内蔵する操作スイッチとを備え、プラグにそれぞれ接続された操作スイッチの送信機と集中監視盤の受信機との間で前記電力線ダクトを伝送媒体とする電力線搬送通信を行うシステムが開示されている。
【特許文献１】特開昭５３−８４１９５号公報
【発明の開示】
【発明が解決しようとする課題】
【０００４】
近年、異なる電力線ダクトにそれぞれ接続された端末装置間で電力線搬送通信を行えるようにすることが要望されている。
【０００５】
しかしながら、敷設されている電力線ダクトは、同一の分電盤であっても、同一の電路ブレーカから配線されているとは必ずしも限らず、物理的に近い位置に設置されている電力線ダクト同士であっても、別の電路ブレーカから配線されていることもある。また、電力線ダクトが接続されている分電盤自体が異なる場合もある。
【０００６】
したがって、前記特許文献１のように、分電盤と電力線ダクトとの間に信号漏洩阻止フィルタが設置されているシステムでは、接続されている分電盤が異なる電力線ダクトに接続された端末装置間で、もしくは、別の電路ブレーカから配線されている電力線ダクトに接続された端末装置間で電力線搬送通信を行うことはできない。
【０００７】
本発明は、上述した問題点を解決するためになされたものであり、接続されている分電盤が異なる電力線ダクトに接続された端末装置間及び別の電路ブレーカから配線されている電力線ダクトに接続された端末装置間で電力線搬送通信を行うことができる電力線搬送通信システムを提供することを目的とする。
【課題を解決するための手段】
【０００８】
請求項１に記載の発明は、電力線としての導体を備えた電力線ダクトと、前記電力線ダクト及び端末装置を電気的に接続し、前記端末装置から送信された通信データを電力線搬送通信信号に変調して前記電力線ダクトの導体に出力すると共に、前記電力線ダクトの導体を伝播する電力線搬送通信信号を受信し、受信した電力線搬送通信信号を復調して前記端末装置に送信するＰＬＣプラグと、異なる第１、第２の電力線ダクト間で電力線搬送通信信号の周波数帯域の電力を通過させて商用周波数電力及び直流電力を遮断する回路素子を備え、前記第１、第２の電力線ダクト間に装着される接続部とを有し、前記接続部は、前記第１、第２の電力線ダクトに備えられる導体同士を、前記第１の電力線ダクトに備えられる導体に接続された端末装置と、前記第２の電力線ダクトに備えられる導体に接続された端末装置との間で電力線搬送通信可能に接続する電力線搬送通信システムである。
【０００９】
この発明によれば、ＰＬＣプラグは、端末装置から出力された通信データを電力線搬送通信信号に変調し、電力線ダクトの導体に送信し、この電力線ダクトの導体に接続された接続部は、商用周波数電力及び直流電力を遮断した状態で電力線搬送通信信号を他の電力線ダクトの導体に出力する。
【００１０】
そして、前記他の電力線ダクトに接続されたＰＬＣプラグは、当該他の電力線ダクトの導体から電力線搬送通信信号を受信し、受信した電力線搬送通信信号を復調して端末装置に送信する。このように、本発明によれば、異なる電力線ダクトに接続された端末装置間で電力線搬送通信が可能となる。
【００１１】
請求項２に記載の発明は、請求項１に記載の電力線搬送通信システムにおいて、前記接続部は、前記回路素子が、前記第１の電力線ダクトにおける導体と第２の電力線ダクトにおける導体とに対して直列に接続される構成を備えた結合器を備えてなるものである。
【００１２】
この発明によれば、ＰＬＣプラグは、端末装置から出力された通信データを電力線搬送通信信号に変調し、電力線ダクトの導体に送信し、この電力線ダクトの導体に接続された結合器は、電力線搬送通信信号を他の電力線ダクトの導体に出力する。
【００１３】
ここで、電力線搬送通信信号の周波数帯域の電力を通過させて商用周波数電力及び直流電力を遮断する回路素子が、前記第１の電力線ダクトにおける導体と第２の電力線ダクトにおける導体とに対して直列に接続されるため、連結された電力線ダクト間では商用周波数電力及び直流電力が遮断される。
【００１４】
そして、前記他の電力線ダクトに接続されたＰＬＣプラグは、当該他の電力線ダクトの導体から電力線搬送通信信号を受信し、受信した電力線搬送通信信号を復調して端末装置に送信する。このように、本発明によれば、異なる電力線ダクトに接続された端末装置間で電力線搬送通信が可能となる。
【００１５】
請求項３に記載の発明は、請求項２に記載の電力線搬送通信システムにおいて、前記電力線ダクトは、複数の導体を備え、各導体と商用電源に電気的に接続された複数の活線とが１体１の関係で電気的に接続され、前記結合器は、前記回路素子の一方の端子と接続する対象の導体を、前記活線と接続関係にある前記第１の電力線ダクトの導体の中で切り替える第１の切り替えスイッチと、前記回路素子の他方の端子と接続する対象の導体を、前記活線と接続関係にある前記第２の電力線ダクトの導体の中で切り替える第２の切り替えスイッチとを有する切り替え部を備えるものである。
【００１６】
この発明によれば、商用電源ＡＣから供給される電力の相のうち、第１の電力線ダクトにおけるＰＬＣプラグが接続された導体に供給される電力の相と、第２の電力線ダクトにおけるＰＬＣプラグが接続された導体に供給される電力の相とが異なっていても、第１の電力線ダクトにおける導体と第２の電力線ダクトにおける導体とは商用周波数電力及び直流電力が遮断される態様で電気的に接続され、異なる電力の相に接続された導体を介して電力線搬送通信を行うことが可能となる。
【００１７】
請求項４に記載の発明は、請求項１に記載の電力線搬送通信システムにおいて、前記接続部は、前記電力線ダクトに着脱可能に接続されるプラグを電力線ケーブルの各端部に有してなる電力線ダクト間接続プラグ部を備え、前記電力線ダクト間接続プラグ部における各プラグは、前記回路素子を前記電力線ダクトと電力線ケーブルとの間に備えているものである。
【００１８】
この発明によれば、ＰＬＣプラグは、端末装置から出力された通信データを電力線搬送通信信号に変調し、電力線ダクトの導体に送信し、この電力線ダクトに接続された電力線ダクト間接続プラグ部は、電力線搬送通信信号を他の電力線ダクトの導体に出力する。
【００１９】
ここで、電力線ダクト間接続プラグ部は、電力線搬送通信信号の周波数帯域の電力を通過させて商用周波数電力及び直流電力を遮断する回路素子を前記電力線ダクトと電力線ケーブルとの間に備えているため、連結された電力線ダクト間では商用周波数電力及び直流電力が遮断される。
【００２０】
そして、前記他の電力線ダクトに接続されたＰＬＣプラグは、当該他の電力線ダクトの導体から電力線搬送通信信号を受信し、受信した電力線搬送通信信号を復調して端末装置に送信する。このように、本発明によれば、異なる電力線ダクトに接続された端末装置間で電力線搬送通信が可能となる。
【００２１】
請求項５に記載の発明は、請求項１に記載の電力線搬送通信システムにおいて、前記接続部は、前記電力線ダクトの終端部を絶縁するための終端器を備え、前記終端器は、前記電力線ダクトの導体に対し、電力線搬送通信信号の反射を防止するための回路素子部と、前記端末装置から送信された通信データを電力線搬送通信信号に変調して前記電力線ダクトの導体に出力すると共に、前記電力線ダクトの導体を伝播する電力線搬送通信信号を受信し、受信した電力線搬送通信信号を復調して前記端末装置に送信するＰＬＣモデム部とが並列に接続された構成を有し、前記ＰＬＣモデム部は、ＬＡＮに接続するためのＬＡＮ入出力部を備え、各電力線ダクトに設置された各終端器が、前記ＬＡＮ入出力部に接続されたＬＡＮケーブルによりハブを介して接続されるものである。
【００２２】
この発明によれば、ＰＬＣプラグは、端末装置から出力された通信データを電力線搬送通信信号に変調し、電力線ダクトに送信し、この電力線ダクトに接続された終端器は、ＬＡＮケーブル及びハブを介して電力線搬送通信信号を他の電力線ダクトに送信する。
【００２３】
ここで、終端器は、前記電力線ダクトの導体に対し、電力線搬送通信信号の反射を防止するための回路素子部と、前記端末装置から送信された通信データを電力線搬送通信信号に変調して前記電力線ダクトに送信すると共に、前記電力線ダクトを伝播する電力線搬送通信信号を受信し、受信した電力線搬送通信信号を復調して前記端末装置に送信するＰＬＣモデム部とを並列に接続された構成を有しているため、連結された電力線ダクト間では商用周波数電力及び直流電力が遮断される。
【００２４】
そして、前記他の電力線ダクトに接続されたＰＬＣプラグは、当該他の電力線ダクトの導体から電力線搬送通信信号を受信し、受信した電力線搬送通信信号を復調して端末装置に送信する。このように、本発明によれば、異なる電力線ダクトに接続された端末装置間で電力線搬送通信が可能となる。
【発明の効果】
【００２５】
本発明によれば、接続されている分電盤が異なる電力線ダクトに接続された端末装置間及び別の電路ブレーカから配線されている電力線ダクトに接続された端末装置間で電力線搬送通信を行える電力線搬送通信システムを実現することができる。
【発明を実施するための最良の形態】
【００２６】
本発明に係る電力線搬送通信システムの実施形態について説明する。
【００２７】
（第１の実施形態）
図１は、本発明に係る電力線搬送通信システムの第１の実施形態を示す図である。図１に示す電力線搬送通信システム１は、例えば、工場、店舗、事務所等の屋内に設置される。本実施形態の電力線搬送通信システム１は、異なる複数の各分電盤よりそれぞれ配電される複数の電力線搬送通信系統を備えて構成されている。図１に示す例では、電力線搬送通信システム１は、分電盤４により配電される第１電力線搬送通信系統２と、分電盤５により配電される第２電力線搬送通信系統３との２系統が構成されている。
【００２８】
第１電力線搬送通信系統２は、分電盤４、入線部材６及び電力線ダクト１０を備え、分電盤４には、単相３線式の商用電源ＡＣからの２本の活線と１本の中性線が導入されている。分電盤４は、図略の主幹ブレーカや分岐ブレーカを搭載し、前記活線及び中性線がこれらのブレーカを介して一対の電力ケーブル線８として当該分電盤４から導出されている。なお、前記商用電源ＡＣは、例えば３相３線式のものでもよい。
【００２９】
電力線ダクト１０は、例えば屋内の天井面、壁面、床面等に設置され、長尺形状を有する一対の導体１０ａ，１０ｂを内蔵する。前記一対の電力ケーブル線８は、それぞれ入線部材６により電力線ダクト１０内に入線され、前記導体１０ａ，１０ｂに接続されている。したがって、この導体１０ａ，１０ｂは電力を供給するための電力線として機能する。すなわち、導体１０ａには、２本のＬ１相及びＬ２相の活線のうち一方の活線が接続され、導体１０ｂには、前記中性線が接続される。電力線ダクト１０には、照明機器等の電力機器に電力のみを供給するための電力プラグ５０と、電力線搬送通信を行うためのＰＬＣプラグ１２とが接続され得る。
【００３０】
図２は、電力線ダクト１０の外観構成図を示し、図３は、電力線ダクト１０が備えるプラグ接続部７４の断面図を示している。図２に示すように電力線ダクト１０は、導体１０ａ，１０ｂの配線方向を長手方向とする細長い形状を有する中空のケース２３を備えている。ケース２３の下部には、導体１０ａ，１０ｂの配線方向に延びる開口部２４が形成され、電力プラグ５０及びＰＬＣプラグ１２を着脱可能に接続するためのプラグ接続部７４が形成されている。また、ケース２３の端部は開口形状をなし、入線部材６を接続するための入線部材接続部２５とされている。また、ケース２３は、左右両側の各内壁に導体１０ａ，１０ｂが配設されている。
【００３１】
図３に示すように、プラグ接続部７４は、ケース２３の左右両側の各内壁においてケース２３の中心に対向するように形成された一対のホルダ７３１を備え、ホルダ７３１の内部に、導体１０ａ，１０ｂが配設されている。ホルダ７３１の頂部は開口形状をなし、電力プラグ５０及びＰＬＣプラグ１２が備える端子部がこの開口部分に挿入されて、電力プラグ５０及びＰＬＣプラグ１２と電力線ダクト１０とが電気的に接続される。
【００３２】
電力プラグ５０は、電力線ダクト１０のプラグ接続部７４に接続可能な端子部を備え、電力線ダクト１０の底面の任意の位置に接続可能であり、電力線ダクト１０に供給される電力を、蛍光灯、電球、発光ダイオード等の照明器具や、テレビ受像器や洗濯機等の家庭用電化製品等の電力機器１０１に供給する。
【００３３】
ＰＬＣプラグ１２は、電力線ダクト１０のプラグ接続部７４に接続可能な端子部を有し、図略のＬＡＮ入出力部と電力線搬送通信モデムとを備えている。ＬＡＮ入出力部は、１０Ｂａｓｅ−Ｔや１００Ｂａｓｅ−Ｔ等の通信規格に基づくＬＡＮ端子を備えて構成され、ＬＡＮケーブルを介して端末装置１００と接続される。電力線搬送通信モデムは、ＬＡＮ入出力部により受信されたＬＡＮ信号をＰＬＣ信号に変調して電力線（導体１０ａ，１０ｂ）に出力すると共に、前記電力線を伝播するＰＬＣ信号を受信し、受信したＰＬＣ信号をＬＡＮ信号に復調し、端末装置１００に送信する。
【００３４】
図４は、電力プラグ５０及びＰＬＣプラグ１２の端子部を示した図であり、（ａ）は上面図、（ｂ）はａ−ａ断面図、（ｃ）は前面図を示している。なお、図４（ａ）〜（ｃ）において、ｘは奥行方向、ｙは幅方向、ｚは高さ方向を示している。図４（ａ）〜（ｃ）に示すように端子部は、電力プラグ５０及びＰＬＣプラグ１２の本体部５２の上方向側に配設され、ｚ方向を長手方向とする円筒部５５と、円筒部５５の側面においてｙ，−ｙ方向側に突出する一対の突出部５３と、円筒部５５の側面においてｙ，−ｙ方向側に突出する一対の電極５４とを備えている。突出部５３は平板形状を有し、円筒部５５と一体形成されている。電極５４は金属から構成された平板形状を有する部材から構成され、本体部５２内に配設された電路と電気的に接続されている。
【００３５】
電力線ダクト１０の開口部２４に電極５４及び突出部５３が挿入され、電力プラグ５０及びＰＬＣプラグ１２がｚ方向を中心として９０度回転されると、突出部５３が開口部２４の両脇に設けられた底面とホルダ７３１（図３参照）との間に嵌合される共に、電極５４がホルダ７３１の内部に挿入され、電力プラグ５０及びＰＬＣプラグ１２が電力線ダクト１０の導体１０ａ，１０ｂと電気的に接続される。一方、電力線ダクト１０の導体１０ａ，１０ｂに接続された電力プラグ５０及びＰＬＣプラグ１２がｚ方向を中心として９０度回転されると、突出部５３の嵌合が解除されると共に、電極５４とホルダ７３１との接続が解除され、電力プラグ５０及びＰＬＣプラグ１２を電力線ダクト１０から取り外すことができる。以上のような構成により、ＰＬＣプラグ１２は、電力線ダクト１０の底面の任意の位置に接続可能とされている。
【００３６】
端末装置１００は、ＬＡＮケーブルを介してＰＬＣプラグ１２に接続されたパーソナルコンピュータや画像配信可能なネットワークカメラ等であり、端末装置１００がパーソナルコンピュータである場合には、該端末装置１００は、例えば通信データをＬＡＮの通信プロトコルに準拠したＬＡＮ信号として、他の電力線ダクト１０に接続された端末装置１００に送信すると共に、他の電力線ダクト１０に接続された端末装置１００から送信された通信データを受信する。
【００３７】
図５に示すように、終端器１４は、一対の導体１０ａ，１０ｂの終端間に設置されており、電力線搬送通信信号の反射を防止するための、コンデンサＣｗと抵抗素子Ｒｗとの直列回路を有して構成されている。終端器１４は、そのインピーダンスが前記導体１０ａ，１０ｂ等で構成される電力線路の特性インピーダンスに整合するように設計されている。
【００３８】
第２電力線搬送通信系統３は、分電盤５、入線部材７、電力ケーブル線９、電力線ダクト１１、導体１１ａ，１１ｂ、ＰＬＣプラグ１３、電力プラグ５１及び終端器１５を備えており、分電盤５、入線部材７、電力ケーブル線９、電力線ダクト１１、導体１１ａ，１１ｂ、ＰＬＣプラグ１３、電力プラグ５１及び終端器１５は、第１電力線搬送通信系統２における、分電盤４、入線部材６、電力ケーブル線８、電力線ダクト１０、導体１０ａ，１０ｂ、ＰＬＣプラグ１２、電力プラグ５０及び終端器１４にそれぞれ対応して、これらの部材や機器によって第１電力線搬送通信系統２と同様の構成を有している。
【００３９】
以上のような構成を有する電力線搬送通信システム１においては、次のような構成を有する結合器１６を用いて、第１電力線搬送通信系統２に接続された端末装置１００と、第２電力線搬送通信系統３に接続された端末装置１００との間で相互に電力線搬送通信可能に構成されている。
【００４０】
図６（ａ）に示すように、結合器１６は、端子Ｔ１〜Ｔ４を備えると共に、端子Ｔ１と端子Ｔ３との間に例えばコンデンサ等の回路素子Ｃ１を、また、端子Ｔ２と端子Ｔ４との間に例えばコンデンサ等の回路素子Ｃ２をそれぞれ有する。前記各回路素子Ｃ１，Ｃ２は、電力線搬送通信信号の周波数帯域の電力を通過させて商用周波数電力及び直流電力（商用周波数以下の電力）を遮断する機能を有する。なお、本出願書類では、「直流」なる文言は、商用周波数より小さい周波数帯域を含む意味で用いられている。
【００４１】
そして、第１、第２電力線搬送通信系統２，３の終端器１４，１５を取り外した上で、電力線ダクト１０，１１の終端に結合器１６が取り付けられると、第１電力線搬送通信系統２における導体１０ａ，１０ｂの終端の端子Ｔ５，Ｔ６に前記結合器１６の端子Ｔ１，Ｔ２が接続されるとともに、第２電力線搬送通信系統３における導体１１ａ，１１ｂの終端の端子Ｔ７，Ｔ８に前記結合器１６の端子Ｔ３，Ｔ４が接続される。これにより、第１電力線搬送通信系統２における導体１０ａと第２電力線搬送通信系統３における１１ａとが前記回路素子Ｃ１を介して接続されるとともに、第１電力線搬送通信系統２における導体１０ｂと第２電力線搬送通信系統３における１１ｂとが前記回路素子Ｃ２を介して接続される。
【００４２】
このように結合器１６によって電力線ダクト１０，１１が連結されることにより、例えば、第１電力線搬送通信系統２において電力線ダクト１０に接続された端末装置１００から通信データがＬＡＮ信号として送信されると、その端末装置１００が接続されたＰＬＣプラグ１２は、受信したＬＡＮ信号をＰＬＣ信号に変調して電力線ダクト１０の導体１０ａ，１０ｂに出力する。電力線ダクト１０の導体１０ａ，１０ｂを伝播するＰＬＣ信号は、前記結合器１６を介して第２電力線搬送通信系統３における電力線ダクト１１の導体１１ａ，１１ｂに流れ、この導体１１ａ，１１ｂに接続されたＰＬＣプラグ１３は、導体１１ａ，１１ｂを伝播するＰＬＣ信号を受信し、このＰＬＣ信号をＬＡＮ信号に復調して端末装置１００に送信する。
【００４３】
以上のように、第１電力線搬送通信系統２と第２電力線搬送通信系統３とは商用周波数電力及び直流電力が遮断される態様で電気的に接続されるため、異なる系統の分電盤から配線された電力線ダクトの導体同士を接続して電力線搬送通信信号（ＬＡＮ信号）の送受信を行うことができる。その結果、第１電力線搬送通信系統２に接続された端末装置として例えばパーソナルコンピュータが、また、第２電力線搬送通信系統３に接続された端末装置としてネットワークカメラが採用されているとき、電力線搬送通信により、例えば、パーソナルコンピュータがネットワークカメラからの画像の配信を受けて、パーソナルコンピュータのモニタに表示される画像を視認して、前記ネットワークカメラの撮像領域の監視を行うという利用形態が実現される。
【００４４】
なお、結合器１６は、異なる系統の分電盤から配線された電力線ダクトの導体同士を結合器１６で接続する形態に限らず、同一分電盤の異なるブレーカから配線された電力線ダクトの導線同士を接続する形態に用いられてもよい。
【００４５】
（第２の実施形態）
本実施形態は、電力線ダクト及び結合器の構造が第１の実施形態と異なるものであり、それ以外の構成については前記第１の実施形態と同様であるから、第１の実施形態との相違点についてのみ説明する。なお、第１の実施形態と同様の構成を有する部材や構成等については、同一の番号を付して説明を行う。
【００４６】
図７は、本実施形態における電力線ダクト１０’，１１’の概略断面図である。図７に示すように、本実施形態においては、電力線ダクト１０’，１１’には、上下段にそれぞれ２本の導体Ｄ１，Ｄ２，Ｄ３，Ｄ４が設置されており、前記商用電源ＡＣからの２本の活線のうち一方の活線と中性線とが入線部材６，７により電力線ダクト１０’，１１’の上段に導入されて、該上段に位置する２本の導体Ｄ１，Ｄ３に接続されており、他方の活線と中性線とが入線部材６，７により電力線ダクト１０’，１１’の下段に導入されて、該下段に位置する２本の導体Ｄ２，Ｄ４に接続されている。
【００４７】
また、前記第１の実施形態における結合器１６に代えて、次のような構成を有する結合器１６’により、第１電力線搬送通信系統２に接続された端末装置１００と、第２電力線搬送通信系統３に接続された端末装置１００との間で相互に電力線搬送通信可能に構成されている。図８は、結合器１６’の構成を示す図である。
【００４８】
図８に示すように、結合器１６’は、端子Ｔ１１〜Ｔ２０を備え、端子Ｔ１３と端子Ｔ１７との間に例えばコンデンサ等の回路素子Ｃ４が、端子Ｔ１４と端子Ｔ１８との間に例えばコンデンサ等の回路素子Ｃ５が、端子Ｔ１９と端子Ｔ２０との間に例えばコンデンサ等の回路素子Ｃ３がそれぞれ備えられている。前記各回路素子Ｃ３〜Ｃ５は、電力線搬送通信信号の周波数帯域の電力を通過させて商用周波数電力及び直流電力を遮断する機能を有する。
【００４９】
また、端子Ｔ１１，Ｔ１２，Ｔ１９と切片１７とによりスイッチが形成されており、端子Ｔ１９に接続する端子を端子Ｔ１１と端子Ｔ１２との間で切片１７により切り替えられる。また、端子Ｔ１５，Ｔ１６，Ｔ２０と切片１８とによりスイッチが形成されており、端子Ｔ２０に接続する端子を端子Ｔ１５と端子Ｔ１６との間で切片１８により切り替えられる。
【００５０】
そして、第１、第２電力線搬送通信系統２，３の終端器１４，１５を取り外した上で、結合器１６’が電力線ダクト１０’，１１’の終端に取り付けられると、第１電力線搬送通信系統２における導体Ｄ１，Ｄ２の終端の端子に前記端子Ｔ１１，Ｔ１２が接続され、導体Ｄ３，Ｄ４に端子Ｔ１３，Ｔ１４が接続されるとともに、第２電力線搬送通信系統３における導体Ｄ１，Ｄ２の終端の端子に前記端子Ｔ１５，Ｔ１６が接続され、導体Ｄ３，Ｄ４に端子Ｔ１７，Ｔ１８が接続される。
【００５１】
また、図８においては、第１電力線搬送通信系統２における電力線ダクト１０の導体Ｄ１，Ｄ３にＰＬＣプラグ１２が接続されており、また、第２電力線搬送通信系統３における電力線ダクト１１の導体Ｄ２，Ｄ４にＰＬＣプラグ１３が接続されていることに基づき、結合器１６’において、端子Ｔ１１と端子Ｔ１９とが切片１７により接続されるとともに、端子Ｔ１６と端子Ｔ２０とが切片１８により接続され、第１電力線搬送通信系統２における電力線ダクト１０の導体Ｄ１と、第２電力線搬送通信系統３における電力線ダクト１１の導体Ｄ２とが前記回路素子Ｃ３を介して接続されている。
【００５２】
以上のように、本実施形態では、商用電源ＡＣから供給される電力の相のうち、第１電力線搬送通信系統２におけるＰＬＣプラグ１２が接続された導体に供給される電力の相と、第２電力線搬送通信系統３におけるＰＬＣプラグ１３が接続された導体に供給される電力の相とが異なっていても、第１電力線搬送通信系統２と第２電力線搬送通信系統３とは商用周波数電力及び直流電力が遮断される態様で電気的に接続され、異なる電力の相に接続された導体を介して電力線搬送通信信号（ＬＡＮ信号）を送受信可能となる。
【００５３】
なお、結合器１６’において、接続する導体を導体Ｄ１と導体Ｄ２との間でのみ切り替え可能に構成しているが、分電盤４，５において供給電力の相がどの導体と接続されるかは不定であるので、１つの導体につき、残り３個の導体と切り替え接続可能に構成してもよい。
【００５４】
（第３の実施形態）
図９は、本発明に係る電力線搬送通信システムの第３の実施形態を示す図である。図９に示すように、本実施形態は、異なる電力線ダクトの導体同士を電力線搬送通信可能に接続する構造が第１の実施形態と異なるものであり、それ以外の構成については前記第１の実施形態と同様であるから、第１の実施形態との相違点についてのみ説明する。なお、第１の実施形態と同様の構成を有する部材や構成等については、同一の番号を付して説明を行う。
【００５５】
本実施形態の電力線搬送通信システム１は、異なる系統の分電盤から配線された電力線ダクト１０，１１の導体同士を接続する構成として、前記第１の実施形態のような結合器１６を採用する構成ではなく、次のようなダクト間接続プラグ部２０が採用されている。
【００５６】
ダクト間接続プラグ部２０は、電力線ケーブル１９の両端にダクト間接続プラグ１７とダクト間接続プラグ１８とが接続された構成を有する。ダクト間接続プラグ１７とダクト間接続プラグ１８とは同様の構成を有し、これらのプラグ１７，１８は、それぞれ電力線ダクト１０，１１に装着可能に構成されている。
【００５７】
ダクト間接続プラグ１７，１８は、電力線ダクト１０，１１の導体１０ａ，１０ｂ，１１ａ，１１ｂに接続可能な図略の第１端子と、電力線ケーブル１９を接続可能な図略の第２端子とを有し、前記第１端子と第２端子との間には、電力線搬送通信信号の周波数帯域の電力を通過させて商用周波数電力及び直流電力を遮断する例えばコンデンサ等の回路素子を備えている。
【００５８】
そして、第１電力線搬送通信系統２の電力線ダクト１０にダクト間接続プラグ１７が装着され、第２電力線搬送通信系統３の電力線ダクト１１にダクト間接続プラグ１８が装着されることにより、ダクト間接続プラグ部２０が電力線ダクト１０，１１間に架設される。
【００５９】
このようにダクト間接続プラグ部２０が電力線ダクト１０，１１間に架設されることにより、例えば、第１電力線搬送通信系統２において電力線ダクト１０に接続された端末装置１００から通信データがＬＡＮ信号として送信されると、その端末装置１００が接続されたＰＬＣプラグ１２は、受信したＬＡＮ信号をＰＬＣ信号に変調して電力線ダクト１０の導体１０ａ，１０ｂに送信する。電力線ダクト１０の導体１０ａ，１０ｂに送信されたＰＬＣ信号は、前記ダクト間接続プラグ部２０を介して電力線ダクト１１の導体１１ａ，１１ｂに流れ、この導体１１ａ，１１ｂに接続されたＰＬＣプラグ１３は、導体１１ａ，１１ｂを伝播するＰＬＣ信号を受信し、このＰＬＣ信号をＬＡＮ信号に復調して端末装置１００に送信する。
【００６０】
以上のように、第１電力線搬送通信系統２と第２電力線搬送通信系統３とは商用周波数電力及び直流電力（商用周波数の電力を含む）が遮断される態様で接続されるため、異なる系統の分電盤から配線された電力線ダクトの導体同士を接続して電力線搬送通信信号（ＬＡＮ信号）の送受信を行うことができる。その結果、第１電力線搬送通信系統２に接続された端末装置として例えばパーソナルコンピュータが、また、第２電力線搬送通信系統３に接続された端末装置としてネットワークカメラが採用されているとき、電力線搬送通信により、例えば、パーソナルコンピュータがネットワークカメラからの画像の配信を受けて、パーソナルコンピュータのモニタに表示される画像を視認して、前記ネットワークカメラの撮像領域の監視を行うという利用形態が実現される。
【００６１】
（第４の実施形態）
図１０は、本発明に係る電力線搬送通信システムの第４の実施形態を示す図である。本実施形態は、異なる電力線ダクトの導体同士を電力線搬送通信可能に接続する構造が第１の実施形態と異なるものであり、それ以外の構成については前記第１の実施形態と同様であるから、第１の実施形態との相違点についてのみ説明する。なお、第１の実施形態と同様の構成を有する部材や構成等については、同一の番号を付して説明を行う。
【００６２】
本実施形態の電力線搬送通信システム１は、異なる系統の分電盤から配線された電力線ダクトの導体同士を接続する構成として、前記第１の実施形態のような結合器１６を採用する構成ではなく、次のような構成を有する終端器２１，２２が採用されている。
【００６３】
図１１に示すように、終端器２１は、前記第１の実施形態の終端器１４におけるコンデンサＣｗと抵抗素子Ｒｗとの直列回路に加え、電力線搬送通信モデム部２１ａが導体１０ａ，１０ｂ（導体）に対して前記直列回路と並列に設置された構成を有する。なお、終端器２２は終端器２１と同様の構成を有しており、また、図１１では、電力線搬送通信モデム部２１ａ，２２ａを「ＰＬＣモデム部２１ａ，２２ａ」と表記している。
【００６４】
電力線搬送通信モデム部２１ａ，２２ａは、図略のＬＡＮ入出力部と電力線搬送通信モデムとを備えている。ＬＡＮ入出力部は、１０Ｂａｓｅ−Ｔや１００Ｂａｓｅ−Ｔ等の通信規格に基づくＬＡＮ端子を備えて構成され、図１０に示すように、ＬＡＮケーブル３３（３５）が接続される。電力線搬送通信モデムは、ＬＡＮ入出力部により受信されたＬＡＮ信号をＰＬＣ信号に変調してＬＡＮケーブル３３（３５）に送信すると共に、前記ＬＡＮケーブル３３（３５）を伝播するＰＬＣ信号を受信し、受信したＰＬＣ信号をＬＡＮ信号に復調し、導体１０ａ，１０ｂに出力する。
【００６５】
本実施形態の電力線搬送通信システム１においては、第１電力線搬送通信系統２における電力線ダクト１０の終端器２１に設けられたＬＡＮ入出力部に、一端がＨＵＢ３４に接続されたＬＡＮケーブル３３の他端が接続されるとともに、第２電力線搬送通信系統３における電力線ダクト１１の終端器２２に設けられたＬＡＮ入出力部に、一端がＨＵＢ３４に接続されたＬＡＮケーブル３５の他端が接続されている。
【００６６】
これにより、例えば、第１電力線搬送通信系統２において電力線ダクト１０に接続された端末装置１００から通信データがＬＡＮ信号として送信されると、その端末装置１００が接続されたＰＬＣプラグ１２は、受信したＬＡＮ信号をＰＬＣ信号に変調して電力線ダクト１０の導体１０ａ，１０ｂに送信する。終端器２１の電力線搬送通信モデム部２１ａは、電力線ダクト１０の導体１０ａ，１０ｂに送信されたＰＬＣ信号を受信し、該ＰＬＣ信号をＬＡＮ信号に復調した上でＬＡＮケーブル３３に出力する。第２電力線搬送通信系統３における終端器２２の電力線搬送通信モデム部２２ａは、ＨＵＢ３４及びＬＡＮケーブル３５を介してＬＡＮ信号を受信すると、該ＬＡＮ信号をＰＬＣ信号に変調して電力線ダクト１１の導体１１ａ，１１ｂに流し、この導体１１ａ，１１ｂに接続されたＰＬＣプラグ１３は、導体１１ａ，１１ｂを伝播するＰＬＣ信号を受信し、このＰＬＣ信号をＬＡＮ信号に復調して端末装置１００に送信する。
【００６７】
以上のように、前記終端器１２，２２の電力線搬送通信モデム部２１ａ，２２ａ、ＬＡＮケーブル３３，３５及びＨＵＢ３４は、ＬＡＮ信号のみを通過させるため、第１電力線搬送通信系統２と第２電力線搬送通信系統３とは、商用周波数電力及び直流電力が遮断される態様で接続され、異なる系統の分電盤から配線された電力線ダクトの導体同士を接続して電力線搬送通信信号（ＬＡＮ信号）の送受信を行うことができる。その結果、第１電力線搬送通信系統２に接続された端末装置として例えばパーソナルコンピュータが、また、第２電力線搬送通信系統３に接続された端末装置としてネットワークカメラが採用されているとき、電力線搬送通信により、例えば、パーソナルコンピュータがネットワークカメラからの画像の配信を受けて、パーソナルコンピュータのモニタに表示される画像を視認して、前記ネットワークカメラの撮像領域の監視を行うという利用形態が実現される。
【図面の簡単な説明】
【００６８】
【図１】本発明に係る電力線搬送通信システムの第１の実施形態を示す図である。
【図２】電力線ダクトの外観構成図を示す図である。
【図３】電力線ダクトが備えるプラグ接続部の断面図を示す図である。
【図４】電力プラグ５０及びＰＬＣプラグ１２の端子部を示した図であり、（ａ）は上面図、（ｂ）はａ−ａ断面図、（ｃ）は前面図を示す図である。
【図５】第１の実施形態における終端器の構成を示す図である。
【図６】第１の実施形態における結合器の構成を示す図である。
【図７】第２の実施形態における電力線ダクトの概略断面図である。
【図８】第２の実施形態における結合器の構成を示す図である。
【図９】本発明に係る電力線搬送通信システムの第３の実施形態を示す図である。
【図１０】本発明に係る電力線搬送通信システムの第４の実施形態を示す図である。
【図１１】第４の実施形態における終端器の構成を示す図である。
【符号の説明】
【００６９】
１  電力線搬送通信システム
４，５  分電盤
６，７  入線部材
８，９  電力ケーブル線
１０，１１  電力線ダクト
１０ａ，１０ｂ，１１ａ，１１ｂ  導体
１２，１３  プラグ
１４，１５，２１，２２  終端器
１６  結合器
１７，１８  ダクト間接続プラグ
１９  電力線ケーブル
２０  ダクト間接続プラグ部
２１ａ，２２ａ  電力線搬送通信モデム部
２３  ケース
３３，３５  ケーブル
３４  ＨＵＢ
５０，５１  電力プラグ
７４  プラグ接続部
１００  端末装置
１０１  電力機器
７３１  ホルダ
ＡＣ  商用電源
Ｃ１〜Ｃ５  回路素子
Ｌ１，Ｌ２，Ｎ１，Ｎ２  導体
Ｒｗ  抵抗素子
Ｔ１〜Ｔ８  端子
Ｔ１１〜Ｔ２０  端子
【図１】
2008187277.tif 000003
【図２】
2008187277.tif 000004
【図３】
2008187277.tif 000005
【図４】
2008187277.tif 000006
【図５】
2008187277.tif 000007
【図６】
2008187277.tif 000008
【図７】
2008187277.tif 000009
【図８】
2008187277.tif 000010
【図９】
2008187277.tif 000011
【図１０】
2008187277.tif 000012
【図１１】
2008187277.tif 000013